(57)【要約】【課題】  使用形態にバリエーションを持たせ、利便性を向上することができる車両における収容装置を提供する。【解決手段】  収容ケース３は操作レバー９、スライド部材１０及び一対の係止部材１１，１１を備えている。収容ケース３が閉じた状態で操作レバー９が操作されると、スライド部材１０が下側にスライド移動し、スライド部材１０の傾斜面１０ａに案内されて各係止部材１１が押しバネ１８に抗して、互いに接近するよう水平移動する。このため、係止爪１９にロック状態が解除され、収容ケース３は収容穴７，８が斜め上方を向いた第１開放位置に位置する。さらに、この状態で操作部１４を操作して収容ケース３を回転すると、収容ケース３がほぼ水平になった第２開放位置に位置した状態となる。【選択図】      図６
2005041444.tif 000002
【特許請求の範囲】
【請求項１】
車両のインナパネルに収容ケースを開閉回動可能に支持した車両における収容装置において、
前記収容ケースには、物品の収容機能を有する第１機能部と、同じく物品の収容機能あるいは別の機能を有する第２機能部とを設け、前記収容ケースと前記インナパネルとの間には、前記第１機能部を使用可能な収容ケースの第１開放位置と、前記第２機能部を使用可能な収容ケースの第２開放位置とに保持する保持手段を設けたことを特徴とする車両における収容装置。
【請求項２】
前記第１機能部は収容凹部よりなり、前記保持手段は、前記収容凹部が斜め上向きになるように前記収容ケースを保持することを特徴とした請求項１に記載の車両における収容装置。
【請求項３】
前記第２機能部はテーブルを有し、前記保持手段は前記テーブルがほぼ水平になるように前記収容ケースを保持することを特徴とした請求項１又は２に記載の車両における収容装置。
【請求項４】
前記保持手段による保持を解除するために操作される第１及び２操作手段を有し、第１操作手段は、前記収容ケースが閉鎖状態にあるときに該収容ケースの前面部に位置し、第２操作手段は、前記収容ケースが第１開放位置にあるときに該収容ケースの上面部に位置することを特徴とした請求項１〜３にいずれか一項に記載の車両における収容装置。
【請求項５】
前記テーブルは前記収容ケースのケース本体に対し相対移動可能であり、前記ケース本体には前記テーブルをスライド移動したとき露出する部位に収容凹部が形成されていることを特徴とする請求項３又は４に記載の車両における収容装置。
【発明の詳細な説明】
【技術分野】
【０００１】
本発明は、車室内に搭載してペットボトルや小物等を入れる収容ケースに係り、詳しくはインストルメントパネル等のインナパネルに配置される車両における収容装置に関する。なお、ここで、インナパネルとは、前記のインストルメントパネルや、サイドインナパネル、あるいはセンターコンソールを構成するパネル等、車両室内のパネルを含むものとする。
【背景技術】
【０００２】
カップホルダーとして用いられる収容ケースを例えばインストルメントパネルのセンタークラスター部等に備えた構成が一般化している。図１０に示すように、この種の収容ケース６１には操作レバー６２が設けられ、その操作レバー６２を引くと内部のロック機構が外れて収容ケース６１を開けることが可能となる。そして、収容ケース６１を所定位置まで回転してペットボトル等を入れるための穴部６３を外部に露出させて使用する。
【発明の開示】
【発明が解決しようとする課題】
【０００３】
ところが、この従来の収容ケース６１は、開く又は閉じるの一通りのみでしか使用することができず、利便性に乏しいという問題があった。また、最近の車両は、座席間を歩くことが可能となるようにコンソールやサイドブレーキ等を運転席隣から撤廃した、いわゆるウォークスルーが採用されているが、このウォークスルー構成ではコンソールを撤廃したことで運転席付近に物を置く場所がなく、物置場所を確保したい要望もあった。
【０００４】
本発明は、前述した問題点を解決し、ペットボトルの保持機能やテーブル機能を持たせることができて、便利に使用できる車両における収容装置を提供することにある。
【課題を解決するための手段】
【０００５】
上記問題点を解決するために、請求項１に記載の発明では、車両のインナパネルに収容ケースを開閉回動可能に支持した車両における収容装置において、前記収容ケースには、物品の収容機能を有する第１機能部と、同じく物品の収容機能あるいは別の機能を有する第２機能部とを設け、前記収容ケースと前記インナパネルとの間には、前記第１機能部を使用可能な収容ケースの第１開放位置と、前記第２機能部を使用可能な収容ケースの第２開放位置とに保持する保持手段を設けたことを要旨とする。
【０００６】
この発明によれば、収容ケースを第１開放位置と第２開放位置との２段階で開操作が可能となり、例えば第１開放位置のみしか使用できない場合に比べて使用形態のバリエーションが増え、利便性が向上する。
【０００７】
請求項２に記載の発明では、請求項１に記載の発明において、前記第１機能部は収容凹部よりなり、前記保持手段は、前記収容凹部が斜め上向きになるように前記収容ケースを保持することを要旨とする。この発明によれば、請求項１に記載の発明において、操作者が使い易い状態で収容凹部が露出することになる。
【０００８】
請求項３に記載の発明では、請求項１又は２に記載の発明において、前記第２機能部はテーブルを有し、前記保持手段は前記テーブルがほぼ水平になるように前記収容ケースを保持することを要旨とする。この発明によれば、請求項１又は２に記載の発明の作用に加え、テーブル上に物を置くことが可能となる。
【０００９】
請求項４に記載の発明では、請求項１〜３のうちいずれか一項に記載の発明において、前記保持手段による保持を解除するために操作される第１及び２操作手段を有し、第１操作手段は、前記収容ケースが閉鎖状態にあるときに該収容ケースの前面部に位置し、第２操作手段は、前記収容ケースが第１開放位置にあるときに該収容ケースの上面部に位置することを要旨とする。
【００１０】
この発明によれば、請求項１〜３のうちいずれか一項に記載の発明の作用に加え、閉じた収容ケースを第１開放位置へ開けるときはケース本体の前面部に位置する第１操作手段を操作して行い、その収容ケースを第２開放位置へ開けるときはケース本体の上面部に位置する第２操作手段を操作して行う。従って、各操作において操作し易い位置に第１，第２操作手段が位置しているので、収容ケースを開けるときの２段階操作が行い易い。
【００１１】
請求項５に記載の発明では、請求項３又は４に記載の発明の作用に加え、前記テーブルは前記収容ケースのケース本体に対し相対移動可能であり、前記ケース本体には前記テーブルをスライド移動したとき露出する部位に収容凹部が形成されていることを要旨とする。この発明によれば、請求項３又は４に記載の発明の作用に加え、収容ケースを第２開放位置に位置したとき、収容ケースにはテーブルに物を置くことが可能となり、テーブルを移動して収容凹部を露出すればそこに物品を入れることも可能となり、利便性が一層向上する。
【発明の効果】
【００１２】
本発明によれば、ペットボトルの保持機能やテーブル機能を持たせることができて、便利に使用できる。
【発明を実施するための最良の形態】
【００１３】
以下、本発明を具体化した車両における収容装置の一実施形態を図１〜図８を用いて説明する。
図１〜図３に示すように、車両室内のインストルメントパネル（インナパネル）にはセンタークラスター部１が設けられ、その開口部２には収容ケース３が開閉回動可能に配設されている。即ち、図４に示すように、開口部２の周縁下部には一対の回転軸４が突設され、収容ケース３がその両側の孔５おいて回転軸４を支点として図４の矢印Ａ方向に回動可能となっている。ケース本体６上部には、ペットボトル（物品）等を入れるための２つの収容穴７や、小物（物品）を入れるための収容穴８が形成されている。なお、収容穴７，８が第１機能部（収容凹部）を構成する。
【００１４】
図６に示すように、収容ケース３は、そのケース本体６の内部に第１操作手段としての操作レバー９、スライド部材１０及び一対の係止部材１１，１１等を備え、これらは保持手段を構成している。操作レバー９は断面Ｌ字形状をなすとともにケース本体６の前壁６ｂに配置され、その両側部においてケース本体６に対し回転可能に支持されている。操作レバー９は、収容ケース３を図１に示す閉鎖状態から開けるときに手前側に回動操作される。操作レバー９は、ねじりバネ（図示省略）により初期位置（図１，図２等に示す位置）に保持される。
【００１５】
前記スライド部材１０は上端部に押込部１２を備え、その上面には操作レバー９が当接可能に対応している。このため、操作レバー９を引いて図６の矢印Ｂ方向に回転させると、スライド部材１０が操作レバー９の先端によって下降される。スライド部材１０の上端には、ケース本体６の上壁６ａの開口１３から露出した第２操作手段としての操作部１４が形成され、操作部１４が下方へ押し込まれるとスライド部材１０が下降する。ケース本体６の延出板１５とスライド部材１０との間には、スライド部材１０を上方へ向かって付勢する押しバネ１６が介装されている。なお、上壁６ａが上面部を、前壁６ｂが前面部を構成する。
【００１６】
図６に示すように、スライド部材１０の下部には一対の傾斜面１０ａが形成されている。この傾斜面１０ａは係止部材１１の挿入孔１７に係止しており、スライド部材１０が下降すると、係止部材１１は傾斜面１０ａに案内され、押しバネ１８の付勢力に抗して内側にスライド移動する。各係止部材１１の先端には、ケース本体６の側壁６ｃから露出した係止爪１９が形成されており、その係止爪１９の背面には斜面１９ａが形成されている。図７に示すように、開口部２の内側面には係止爪１９が係止可能な保持手段としての内側係止片２０及び外側係止片２１が形成されている。
【００１７】
図５に示すように、ケース本体６の裏面側には、断面コ字形状のテーブル２２が配設されている。図８に示すように、ケース本体６の側壁６ｃには長手方向に延びるレール部２３が形成され、レール部２３には等間隔に複数（本例は３つ）の凹部２３ａが形成されている。一方、テーブル２２の側壁内面にはケース本体６の凹部２３ａに係止可能な爪部２４が形成されている。そして、テーブル２２はレール部２３に沿ってスライド移動可能であり、爪部２４が各凹部２３ａに係止することで３段階に位置設定が可能となっている。
【００１８】
図５に示すように、ケース本体６の裏面６ｄには、カップホルダーとして機能する収容穴２５が形成されている。そして、テーブル２２の爪部２４が最も内側（図５では左端部）の凹部２３ａに係止すると、収容穴２５はテーブル２２によって完全に塞がった図５の一点鎖線で示す状態となる。このとき、収容穴２５にはペットボトル等を収容できず、収容ケース３はテーブル２２上に物が置ける使用形態をとる。一方、テーブル２２を手前側にスライド移動して爪部２４を最も外側（図５では右端部）の凹部２３ａに係止すると、収容穴２５が全開した図５の実線で示す状態となり、ペットボトル等が収容可能となる。なお、テーブル２２及び収容穴２５が第２機能部を構成し、収容穴２５は収容凹部を構成する。
【００１９】
さて、収容ケース３が閉鎖された図１に示す状態では、係止爪１９が押しバネ１８の付勢力により突出した図６に示す状態となっており、係止爪１９が開口部２の内側係止片２０にロックされる。この状態において、収容ケース３を通常のカップホルダーとして使用したい場合には、まず操作レバー９を手前側に操作して係止爪１９と内側係止片２０とのロック状態を解除し、収容ケース３を手前側に引く。
【００２０】
すると、収容ケース３が所定の傾斜角度になったところで係止爪１９が外側係止片２１にロックされ、このロック状態によって収容ケース３が第１開放位置（図２に示す状態）となる。このため、ケース本体６の上壁６ａが外部に露出し、ペットボトル用の収容穴７，７や小物入れ用の収容穴８が斜め上向きに露出して使用可能な状態となる。そして、この状態では操作部１４が収容ケース３の上面において、操作しやすい斜め上方向きの状態になる。
【００２１】
一方、収容ケース３をテーブルとして使用したい場合には、操作部１４を押し込んで係止爪１９と外側係止片２１とのロック状態を解除し、収容ケース３を手前側に回転させる。すると、ケース本体６の舌片２６がセンタークラスター部１の内面の係止部２７（図４参照）に係止し、収容ケース３の回転が規制されて収容ケース３がほぼ水平状態に位置決めされた第２開放位置（図３に示す状態）となる。このとき、ケース本体６のテーブル２２が外部に露出した状態となり、テーブル２２上に物が置ける状態になる。
【００２２】
そして、この状態でテーブル２２をスライド移動させると、ケース本体６の収容穴２５が露出し、この収容穴２５にペットボトル等を入れることが可能となる。従って、テーブル２２をスライド移動させて収容穴２５を露出させれば、収容ケース３はテーブル２２上に物が置けるとともに、収容穴２５にペットボトル等を入れることも可能となる。また、開状態の収容ケース３を閉じる場合、係止爪１９の斜面１９ａが作用して係止爪１９が再ロックされる。
【００２３】
第１実施形態によれば、以下のような効果を得ることができる。
（１）係止爪１９と外側係止片２１とのロック状態を解除するために操作部１４を設け、これを操作することで収容ケース３をさらに回転可能とし、収容ケース３を第１開放位置及び第２開放位置の２段階で開操作可能な構成とした。従って、収容ケース３がテーブル２２として使用可能となり、収容ケース３の使用形態のバリエーションが増え、利便性が向上する。
【００２４】
（２）収容ケース３が閉状態のとき、操作部１４は隠れた状態になって外部から見えないので、収容ケース３の外観が大きく損なわれることはない。また、収容ケース３を第１開放位置（図１に示す状態）に位置したとき、斜め上方に露出するケース本体６の上壁６ａに操作部１４を設けたので、操作部１４の操作が行い易い。
【００２５】
（３）テーブル２２をスライド移動可能とし、テーブル２２をスライド移動することでペットボトル等を収容するための収容穴２５が使用可能となる構成とした。従って、収容ケース３を第２開放位置に位置させた場合、テーブル２２として利用でき、かつ収容穴２５を露出すればペットボトル等も収容することができる。
【００２６】
なお、本実施形態は前記に限らず、以下の態様に変更してもよい。
・  テーブル２２はスライド移動する構成に限定されない。例えば、図９に示すようにヒンジ機構５０を介してテーブル２２を回転可能な構成としてもよい。
【００２７】
・  操作部１４の配置位置はケース本体６の上壁６ａに限らず、例えば前壁６ｂや側壁６ｃでもよい。
・  ケース本体６に必ずしもテーブル２２を設ける必要はなく、テーブル２２をなくした構成としてもよい。
【００２８】
・  収容穴２５は、ケース本体６の前壁６ｂを底面とする構成に限らず、例えば底の浅い凹部でもよく、この凹部を小物置き場として使用してもよい。
・  操作レバー９と操作部１４の両方で係止爪１９を可動させる構成に限らず、各々専用の係止爪を有する構成としてもよい。即ち、操作レバー９で第１係止爪のロックを外して収容ケース３を第１開放位置に回動し、続いて操作部１４で第２係止爪のロックを外して収容ケース３を第２開放位置に回動する構成でもよい。
【図面の簡単な説明】
【００２９】
【図１】第１実施形態における収容ケースの閉状態を示す模式斜視図。
【図２】収容ケースの第１開放位置状態を示す模式斜視図。
【図３】収容ケースの第２開放位置状態を示す模式斜視図。
【図４】収容ケースの取り付け状態を説明する模式分解図。
【図５】収容ケースを裏面側から見た模式斜視図。
【図６】収容ケースの内部構成を示す模式斜視図。
【図７】収容ケースのロック状態を説明する平断面図。
【図８】図５のII−II線断面図。
【図９】別例に示す収容ケースの模式斜視図。
【図１０】従来の収容ケース付近の車室内前部を示す模式斜視図。
【符号の説明】
【００３０】
３…収容ケース、６…ケース本体、６ａ…上面部としての上壁、６ｂ…前面部としての前壁、７，８…第１機能部（収容凹部）としての収容穴、９…保持手段（第１操作手段）を構成する操作レバー、１０…保持手段を構成するスライド部材、１１…保持手段を構成する係止部材、１４…第２操作手段としての操作部、２０，２１…保持手段を構成する係止片、２２…第２機能部を構成するテーブル、２５…第２機能部（収容凹部）を構成する収容穴。
【図１】
2005041444.tif 000003
【図２】
2005041444.tif 000004
【図３】
2005041444.tif 000005
【図４】
2005041444.tif 000006
【図５】
2005041444.tif 000007
【図６】
2005041444.tif 000008
【図７】
2005041444.tif 000009
【図８】
2005041444.tif 000010
【図９】
2005041444.tif 000011
【図１０】
2005041444.tif 000012